(57)【要約】【課題】  電子機器のメモリーサイズ容量の縮小、メモリー容量縮小による小型化、さらには、電子機器の盗難や不正使用にたいする制限がかけられ、セキュリティーの向上することを目的とするものである。【解決手段】  遠隔地との通信を行なう通信手段を有し、固体差により各種制御の精度バラツキを補正する為の各種パラメータ設定が個別に必要な電子機器と、前記電子機器とは別の遠隔地にパラメータデータを記憶するパラメータデータ記憶装置を有する電子機器システムにおいて、前記電子機器がパラメ−タデータを要求したときにデータ取得することを特徴とする電子機器のパラメータ設定方法等を提供する。【選択図】  図１
2006311346.tif 000002
【特許請求の範囲】
【請求項１】
遠隔地との通信を行なう通信手段を有し、固体差により各種制御の精度バラツキを補正する為の各種パラメータ設定が個別に必要な電子機器と、前記電子機器とは別の遠隔地にパラメータデータを記憶するパラメータデータ記憶装置を有する電子機器システムにおいて、
前記電子機器がパラメ−タデータを要求したときにデータ取得することを特徴とする電子機器のパラメータ設定方法。
【請求項２】
遠隔地にある前記パラメータデータ記憶装置との前記通信手段は、無線または有線で接続されるネットワークを介して通信することを特徴とする請求項１記載の電子機器のパラメータ設定方法。
【請求項３】
前記電子機器は、おのおのの電子機器個別に関連付けされたＮＯデータのみを記憶する記憶手段を有し、前記ＮＯデータに応じたパラメータデータのみを取得することを特徴とする請求項１記載の電子機器のパラメータ設定方法。
【請求項４】
前記パラメータデータは、製造工程内にて各種調整された個別パラメータデータであることを特徴とする請求項１記載の電子機器のパラメータ設定方法。
【請求項５】
前記電子機器は電子スチルカメラ或いは、電子ムービー或いは、画像再生機であることを特徴とする請求項１記載の電子機器のパラメータ設定方法。
【請求項６】
前記電子機器のパラメータ調整に必要なデータは、レンズズームポジション、レンズフォーカスポジション、ホワイトバランス、露出関連、画像色バランス、撮像関連、各種アクチェータの位置調整のうちのいずれか１つに関係するパラメータデータであることを特徴とする請求項５記載の電子機器のパラメータ設定方法。
【請求項７】
前記電子機器は、更に、前記電子機器内のメモリーに一時的に前記パラメータデータを記憶するパラメータデータ記憶手段を有することを特徴とする請求項１記載の電子機器のパラメータ設定方法。
【請求項８】
前記パラメータデータ記憶手段によって記憶されたパラメータデータは、前記電子機器の使用状況に応じて前記パラメータデータ記憶手段に格納された取得データを消去することを特徴とする請求項７記載の電子機器のパラメータ設定方法。
【請求項９】
電子機器の構成がパラメータデータ必要部とデータ記憶手段を含む画像処理部が着脱可能な電子機器において、
前記パラメータデータ必要部側は個別に関連付けされたＮＯデータのみを記憶する記憶手段を有し、前記ＮＯデータに応じたパラメータデータを前記電子機器とは別の遠隔地に前記パラメータデータを記憶するパラメータデータ記憶装置より取得し、取得した前記パラメータデータを前記電子機器の前記データ記憶手段を含む画像処理部側に記憶することを特徴とする電子機器のパラメータ設定方法。
【請求項１０】
調整用の前記パラメータデータの消去状態において、前記電子機器は、予め最低限の動作保証を行なえるパラメータ設定値を有することを特徴とする請求項９記載の電子機器のパラメータ設定方法。
【請求項１１】
前記電子機器とは別の場所に前記パラメータデータを記憶する前記パラメータデータ記憶装置に記憶してあるパラメータ情報取得許可の可否を判定するパラメータ情報取得許可判定手段を有することを特徴とする請求項１記載の電子機器のパラメータ設定方法。
【請求項１２】
前記パラメータデータ情報取得許可の可否を判定する前記パラメータ情報取得判定手段は、正規ユーザ登録に基づく情報許可判定手段であることを特徴とする請求項１１記載の電子機器のパラメータ設定方法。
【発明の詳細な説明】
【技術分野】
【０００１】
本発明は電子機器のパラメータ設定方法に関し、電子機器の個別調整パラメータを設定する設定方法に関する。
【背景技術】
【０００２】
従来は、特許第０２８７７５７１号に示すように、電子機器であるところのカメラの内部にＥＥＰＲＯＭ等の書き換え可能なメモリーを有し、生産工程内にて個別調整されたパラメータデータを常時記憶させておき、電子機器であるところのカメラ動作時にデータを参照するように構成されている。同じように、特許文献１でも同様な構成をとっており、電子機器の個別調整を行なうように構成されている。
【０００３】
【特許文献１】特開平０５−０３４７５５号公報
【発明の開示】
【発明が解決しようとする課題】
【０００４】
しかしながら、前記従来例では、電子機器毎に必ずパラメータ調整メモリーエリアを確保しなければならない為、パラメータデータ用に大きなメモリー容量が必要となる。同時に、近年電子機器等の盗難等が増加しており、それを売り買いすることが簡単に行なわれている物騒な世の中になりつつあり、盗品なのか通常購入したものか解りづらい構成になっている。盗品を盗品とは解らず買い取る業者等が存在したり、盗難に合った機器がそのまま機能を落とさず使用できてしまったりするのでなかなか電子機器の盗難がなくならない。
【０００５】
本発明は前述の問題点にかんがみ、電子機器のメモリーサイズ容量の縮小、メモリー容量縮小による小型化、さらには、電子機器の盗難や不正使用に対する制限がかけられ、電子機器のセキュリティーを向上できるようにすることを目的としている。
【課題を解決するための手段】
【０００６】
本発明は前記の課題を解決する為に、遠隔地との通信を行なう通信手段を有し、固体差により各種制御の精度バラツキを補正する為の各種パラメータ設定が個別に必要な電子機器と、前記電子機器とは別の遠隔地にパラメータデータを記憶するパラメータデータ記憶装置を有する電子機器システムにおいて、前記電子機器がパラメ−タデータを要求したときにデータ取得することを特徴とする電子機器のパラメータ設定方法等を提供する。
【発明の効果】
【０００７】
以上説明したように、第１の効果として遠隔地との通信を行なう通信手段を有し、固体差により各種制御の精度バラツキを補正する為の各種パラメータ設定が個別に必要な電子機器と、前記電子機器とは別の遠隔地にパラメータデータを記憶するパラメータデータ記憶装置を有する電子機器システムにおいて、前記電子機器がパラメ−タデータを要求したときにデータ取得するように構成することで、ＣＰＵ内のメイン動作プログラム以外の調整プログラム等は外部から電子機器を制御することで最低限のメモリーエリアを確保すればよい結果となり、メモリーエリアの削減が可能となる。強いては電子機器であるカメラの低コスト化、小実装スペース化、小型化につながる。
【０００８】
第２の効果として、電子機器がおのおのの電子機器個別に関連付けされたＮＯデータのみを記憶する記憶手段を有し、前記ＮＯデータに応じたパラメータデータのみを取得するように構成することで、電子機器の盗難品であるか否かが即座に判断できる。
【０００９】
第３の効果として、電子機器内にデータ記憶手段を有する場合に、前記電子機器内のメモリーに１時的に前記パラメータデータを記憶するパラメータデータ記憶手段を有することで前記第１、第２の効果が得られつつ一定期間ネットワーク上での通信不良でも電子機器としては動作が可能となる。
【００１０】
第４の効果として、パラメータデータ記憶手段に記憶されたパラメータデータは、前記電子機器の使用状況に応じて前記パラメータデータ記憶手段に格納された取得データを消去するようにすることで、前記第３の効果を一定期間内だけ使用するように出来、盗難対策且つ、使い勝手が向上する。
【００１１】
第５の効果として、前記電子機器の構成がパラメータデータ必要部とメモリー記憶手段を含む画像処理部が着脱可能な電子機器である場合に、パラメータデータ必要部に前記個別に関連付けされたＮＯデータのみを記憶する記憶手段を有し、前記ＮＯデータに応じたパラメータデータのみを取得するように構成することで、パラメータデータ必要部がいろいろ取り替えられるシステムにも本発明が使用できるようになり、さらに使い勝手をよくすることが出来る。
【００１２】
第６の効果として本発明の全てに関わる物として、前記電子機器とは別の場所にパラメータデータを記憶する記憶装置に記憶してあるパラメータ情報取得許可の可否を判定するパラメータ情報取得許可判定手段を有するように構成することで、盗難品や不正な機器使用に対しての制限をかけることが出来、電子機器のセキュリティーの向上につながる。
【００１３】
以上全てを実施することでの効果として、電子機器のメモリーサイズ容量の縮小、メモリー容量縮小による小型化、さらには、電子機器の盗難や不正使用にたいする制限がかけられ、セキュリティーの向上につながる。
【発明を実施するための最良の形態】
【００１４】
（第１の実施の形態）
本発明の第１の実施の形態を表す図は、図１、図２であり、図１は本発明の第１の実施の形態を最もよく表すブロック図であり、図２はシーケンスフローチャートである。
図１のブロック図から順に説明すると、ａは電子機器であるところのカメラ、１は、電子機器であるところのカメラａの撮影レンズ、２は、撮像手段であるところのＣＣＤ（ＣＭＯＳ等の撮像する素子であれば特に規定しない）である。
【００１５】
３は、撮像素子であるところのＣＣＤ２の信号をＡ／Ｄ変換と像の読み出しタイミングをコントロールしているアナログ−デジタル変換回路部であり、Ａ／Ｄ、ＣＤＳ、ＴＧの機能を備えている。
【００１６】
４は、アナログ−デジタル変換回路部３で得られた画像データを画像処理する為の画像処理部、５は、撮影レンズ１のフォーカスやズーム駆動を行なうモーター制御装置、６は、本システムの制御を行なうＣＰＵ、７は、本発明の特徴である電子機器であるところのカメラａのシリアルＮＯに対応したデータを記憶しておくシリアルＮＯ記憶手段（実際のデバイスは不揮発性のメモリー）である。
【００１７】
８は、外部ネットワーク等に接続する為のインターフェース、９は、電子機器であるカメラａの動作を開始される為のスイッチ、１０は、ネットワークを管理しているネットワークサーバ、１１は、遠隔地とデータ通信する為のインターネット網である。
【００１８】
１２は、本電子機器が生産工程時に調整され取得された各種パラメータデータをシリアルＮＯ筐体ごとにデータ保存管理してあるデータサーバ、１３は、本発明の電子機器であるカメラａの映像を表示とカメラ制御を行なう為の表示機器であるビューワー、１４は、インターネット等のネットワーク上から本発明の電子機器であるカメラ制御と映像表示を行なう為の表示機器であるビューワーである。
【００１９】
本発明の電子機器は、ネットワーク上に接続されないとパラメータを取得することが不可能なシステムであり、図２のフローチャート順に生産工程内で取得した調整パラメータ取得方法を説明する。
【００２０】
図２にてステップＳ１０１からスタートし、ステップＳ１０２でユーザによってスイッチ９を検出しスイッチがオンされたか否かを判断する。ステップＳ１０２でスイッチがオフの場合はステップＳ１０１へもどり、スイッチが入力されるまで待機状態となる。ステップＳ１０２でスイッチがオンの場合は、ステップＳ１０３へすすむ。
【００２１】
ステップＳ１０３で外部接続用インターフェース８がサーバ１０等他の機器に接続され、ネットワーク上に接続可能か否かを判断する。ネット接続ＯＫの場合は、ステップＳ１０４へ進み、ステップＳ１０３でネットワーク接続不可能な状態にある場合は、再度ステップＳ１０２へもどる。スイッチ９がオンされていて、且つ外部接続ＮＧの場合は、接続出来るまでステップＳ１０２とステップＳ１０３を繰り返す。
【００２２】
ステップＳ１０４へ進むと、調整パラメータ情報サーバ１２へインターネット１１を返しアクセスする。ステップＳ１０５では、アクセス通信が可能か否かを判断し、通信ＯＫな状態であればステップＳ１０６へ進む。通信ＮＧの場合は、再度ステップＳ１０４へ戻り通信を行なう。伝送路で通信エラー等が発生した場合は再度通信を行なう。通信手法については、本発明では規定しておらず、公知技術による物、今後高速に通信するものいずれかの技術を使用して通信するのでここでは説明は省略する。
【００２３】
ステップＳ１０６へ進み、シリアルＮＯ記憶装置７に個別筐体ごとに生産工程上で入力された管理シリアルＮＯを調整パラメータ情報サーバ１２に伝送する。ステップＳ１０７では、調整パラメータ情報サーバ１２内にて管理してあるシリアルＮＯに対応した調整パラメータデータをサーバコントロールしているシステムにて検索する。
【００２４】
ステップＳ１０８では、ステップＳ１０７で検索したパラメータ情報を電子機器側へデータ転送する。ステップＳ１０９では、電子機器側にて受けたパラメータデータ情報を基に電子機器内にあるＣＰＵ６内のパラメータレジスタの設定を行なう。ここまでで電子機器であるカメラａの撮影準備が完了する。
【００２５】
次にステップＳ１１０へ進み、カメラ制御権利を持っているビューワー（ここではコンピュータ）１３、１４からの操作コマンド要求が有るか否かを判断し、コマンドを受信しればステップＳ１１１へ進む。コマンド受信が無ければコマンド受信まで待機する。ステップＳ１１１ではステップＳ１１０で受信した制御コマンド信号に応じて制御を開始する。ステップＳ１１２でシステム終了となる。
【００２６】
本システム内での調整パラメータとして考えられる例は、撮影レンズ１のフォーカス位置の固体バラツキを吸収する為の位置パラメータ、同じく撮影レンズ１がズームレンズである場合のレンズ焦点距離に対応したレンズ位置パラメータ、ＣＣＤ２の感度ムラ及び、画素欠点等の補正の為の補正パラメータ、同じくＣＣＤ２の色ずれ等の補正を行なう色バランスパラメ−タ、モーター制御駆動時のタイミングや駆動時間等のパラメータ、カメラの露出パラメータ、各種アクチェータの位置調整パラメータ等がある。
【００２７】
また、本実施の形態はカメラ関係であるが、画像表示機器等の電子機器に合わせた各種パラメータに応用することも可能である。機種毎、製品筐体毎にバラツキが発生する各種パラメータを生産工程内で調整後、データサーバへ記憶し保管管理するシステムである。
【００２８】
以上を実施することで、ＣＰＵ６内のメイン動作プログラム以外の調整プログラム等は外部から電子機器を制御することで最低限のメモリーエリアを確保すればよい結果となり、メモリーエリアの削減が可能となる。強いては電子機器であるカメラのコストが下げられ且つ、実装スペースも縮小することが出来、小型化につながる。
【００２９】
ネットワーク上を必ず経由しなければならない遠隔監視カメラ、ｗｅｂ上での映像をコミニュケーションする為のｗｅｂカメラ等に応用することが出来る。また、もしカメラが盗難に合った場合等は、サーバ管理元に連絡することで、パラメータデータの転送をストップすることが出来る。且つ、盗難にあった場合は正常な動作を保証する必要が無いため、盗難品を使用していると正常動作が保証できない。従って、盗難品を購入する業者が盗難品か盗難品でないかを判断することが出来る。しいては、盗難が少なくなるような効果がある。
【００３０】
（第２の実施の形態）
本発明の第２の実施の形態を表す図は、図１、図３である。図１は本発明の第１の実施の形態を最もよく表す図であり、図３はシーケンスを示すフローチャートである。図１のブロック図の構成は、前記第１の実施の形態と同一構成であり、図３に示すシーケンス制御方法のみが異なっている例として説明する。
【００３１】
図３のフローチャート順に説明すると、ステップＳ２０１から本システムがスタートして、ステップＳ２０１、ステップＳ２０２までは、第１の実施の形態に示す図２のステップＳ１０１、ステップＳ１０２に対応しており全く同一の制御を行なう。
【００３２】
ステップＳ２０３は、遠隔操作制御可能なビューワー１３、１４からの制御コマンドを受け付けたか否かを判断する。このコマンドを受け付けられる環境にある場合は、インターネット等のネットワーク上にすでに接続可能な状態である。ステップＳ２０４で、コマンドを受け付けない場合は受け付けるまで待機、コマンド受け付けた時は、ステップＳ２０５へ進む。
【００３３】
ステップＳ２０４〜ステップＳ２１０までのシーケンス制御は、前記第１の実施の形態に記載の図２に示すシーケンスステップＳ１０３〜ステップＳ１０９と同一の制御であるが、本発明の第１の実施の形態と異なる点は、ステップＳ２０３で判断した各制御コマンドに対応した必要な調整パラメータデータのみを取得してくるので第１の実施の形態より制御に必要な調整パラメータデータ量は少なくなるように構成する。ステップＳ２１１では、制御コマンドに応じた制御動作を開始する。
【００３４】
以上説明したように、第２の実施の形態では、カメラ制御コマンドに対応した調整パラメータデータのみ取得するので、さらに細かな制御に対応した細かな調整が出来るようになる。
【００３５】
（第３の実施の形態）
本発明の第３の実施の形態を最もよく表す図は、図４、図５である。図４は、第３の実施の形態に関わる電子機器のブロック図であり、図５は、第３の実施の形態に関わるシステムフローチャートである。
図４において、ｂは、カメラａのレンズユニット部分、Ｃは、外部通信と画像処理を担うクレードル部分で２つに分かれており、着脱が可能なカメラシステム構成を例として説明する。図４のレンズユニットｂ側に主に調整パラメータデータが必要な部分が多い場合の構成例である。
【００３６】
１はカメラレンズユニット部分内にある撮影レンズ、２は、撮像素子であるところのＣＣＤ（ＣＭＯＳセンサー等の撮像素子であれば特にデバイスは問わない）、３は、撮像素子であるところのＣＣＤ２の信号をＡ／Ｄ変換と像の読み出しタイミングをコントロールしているアナログ−デジタル変換回路部である。
【００３７】
４は、アナログ−デジタル変換回路部３で得られた画像データを画像処理する為の画像処理部、５は、撮影レンズ１のフォーカスやズーム駆動を行なうモーター制御装置、６は、クレードル部分Ｃの制御と外部通信制御を行なう為のＣＰＵ、７は、電子機器であるところのレンズユニットｂ部分のシリアルＮＯに対応したデータを記憶しておくシリアルＮＯ記憶装置（実際のデバイスは不揮発性のメモリー）である。
【００３８】
８は、外部ネットワーク等に接続する為のインターフェース、９は、電子機器であるカメラａの動作を開始される為のスイッチ、１０は、ネットワークを管理しているネットワークサーバ、１１は、遠隔地のとデータ通信する為のインターネット網、１２は、本電子機器が生産工程時に調整され取得された各種パラメータデータをシリアルＮＯ筐体ごとにデータ保存管理してあるデータサーバである。
【００３９】
１３は、本発明の電子機器であるカメラａの映像を表示とカメラ制御を行なう為の表示機器、１４は、インターネット等のネットワーク上から本発明の電子機器であるカメラ制御と映像表示を行なう為の表示機器、１５は、クレードル部のＣＰＵ６とのアクセス可能なメモリーであるところのＲＡＭ、１６は、本システムのプログラムメモリーであるところのＲＯＭ（フラッシュＲＯＭやＥＥＰＲＯＭ等の不揮発性メモリー）である。
【００４０】
１７は、レンズユニット部の各種制御を行なう為のＣＰＵ、１８は、レンズユニット部ｂとクレードル部Ｃとのデータの送受信を行なう為のインターフェース部分、１９は、クレードル部Ｃが図４−ｂのレンズユニット部との通信を行なう為のインターフェースである。
【００４１】
以上の構成にて、図５のシステムフローチャート順に説明する。
図５において、ステップＳ３０１からスタートして、ステップＳ３０２でユーザによってのスイッチ９を検出しスイッチがオンされたか否かを判断する。ステップＳ３０２でスイッチがオフの場合はステップＳ３０１へもどり、スイッチが入力されるまで待機状態となる。
【００４２】
ステップＳ３０２でスイッチがオンの場合は、ステップＳ３０３へ進む。ステップＳ３０３では、レンズユニット部ｂが接続されているか否かを判断する為に、レンズユニット側インターフェース部１８とクレードル部分のインターフェース部１９とを返してＣＰＵ６、１７どうしが通信することで判断する。通信ＯＫの場合は、レンズユニット接続ＯＫと判断し、ステップＳ３０４へ進み、接続ＮＧの場合は、再度ステップＳ３０２へ戻り、ステップＳ３０２〜ステップＳ３０３の間で待機状態となる。
【００４３】
ステップＳ３０４へ進むと、外部接続用インターフェース８がサーバ１０等他の機器に接続され、ネットワーク上に接続可能か否かを判断する。ステップＳ３０４で、接続可能な場合は、ステップＳ３０５へ進み、接続不可能な場合は、再度ステップＳ３０２へ戻る。前記レンズユニットｂが接続ＯＫで且つネットワーク上への接続が不可能な場合は、ステップＳ３０２〜ステップＳ３０３を繰り返し、ネットワーク接続待機状態となる。
【００４４】
ステップＳ３０５へ進むと、生産工程内での各種調整パラメータ情報サーバ１２との接続を行なう。ステップＳ３０６で、ステップＳ３０５の通信アクセスが可能か否かを判断し、可能な場合は、ステップＳ３０７へ進み、接続が不能な場合は、ステップＳ３０５へと戻り、生産工程内での各種調整パラメータ情報サーバ１２との接続を行なう。接続が完了するまで、繰り返し通信する。
【００４５】
ステップＳ３０７では、レンズユニットｂに関連付けされた筐体個別シリアルＮＯ別にシリアルＮＯ記憶部７に予め生産工程内で記録されたシリアルＮＯデータをクレードルＣ経由で調整データパラメータ情報サーバ１２に転送する。ステップＳ３０８では、前記ステップＳ３０７で転送されたシリアルＮＯに対応した生産工程内での各種調整パラメ−タを検索する。
【００４６】
ステップＳ３０９では、検索結果により呼び出されたパラメータデータをインターネット１１とネットワークサーバ１０を介して、クレードルＣ内部のインターフェース８を経由して転送される。
【００４７】
ステップＳ３１０では、ステップＳ３０９にて転送されてきたパラメータデータをメモリー手段であるＲＯＭ１６（ここでは、フラッシュＲＯＭやＥＥＰＲＯＭ等の不揮発性メモリーであり特に規定はしない）に保存する。
【００４８】
ステップＳ３１１で、ＣＰＵ６がタイマーをスタートさせる。ステップＳ３１２でステップＳ３１１でスタートさせたタイマーが所定の時間経過したか否かを判断し、所定の時間以上経過している場合は、ステップＳ３１３へ進み、所定時間以下の場合は、ステップＳ３１５へ進む。
【００４９】
ステップＳ３１５へ進んだ場合は、各種調整パラメータを設定するのに、ＲＡＭ１５へ転送する。ステップＳ３１３へ進んだ場合は、前記ステップＳ３１０で保存した調整パラメータデータを消去する。ステップＳ３１４では、ステップＳ３１１でスタートしたタイマーをリセットして最初のステップＳ３０２へ戻る。
【００５０】
ステップＳ３１６では、ネットワーク上に接続された遠隔操作制御可能なビューワー１３、１４にてカメラ制御コマンドの受け付け要求を判断する。カメラコマンドが受け付けた場合は、ステップＳ３１７へ進み、カメラコマンドを受け付けない場合は、カメラ制御コマンドを受け付けるまで、待機する。ステップＳ３１７では、カメラ制御コマンド動作に応じてカメラ制御を実施する。ステップＳ３１８で、本発明の第３の実施の形態のシステムフローチャートは終了する。
【００５１】
調整パラメータ情報サーバ１２にて、正式にユーザ登録されていない不正使用機器や、盗難品からのパラメータ情報通信にはサーバ上でロックをかけデータ転送を行なわない様に構成する。また、盗難品等については、予め所有していたユーザからの依頼により、同様に通信不可のロックをかけることができるシステム構成をとる。
【００５２】
電子機器であるネットワーク接続カメラａが、レンズユニット部ｂとクレードル部Ｃに分かれたシステムで、レンズユニットｂは着脱可能な物で、レンズ１のズーム倍率や、図４−２の撮像素子であるＣＣＤの画素数の異なるユニットを取り替えて使用できるシステムを想定している。但し、パラメータ調整必要部はレンズユニット等に限定しているシステムではなく、その他の電子機器にも応用が利く。
【００５３】
本実施の形態を実施することで、パラメータ必要部分と画像処理部が分かれているような物は特に有効であり、パラメータ必要部分（着脱可能なレンズユニット等）内のメモリー容量が個々に削減され、ユニットの小型化、低コスト化を行なうことが可能となる。また、予めシリアルＮＯに対応したパラメータデータをクレードルＣ側に取得しておけば、所定の時間分だけは、ネットワーク環境に不備（調整データ記憶サーバの不備）が有る場合に所定の期間の動作を保証することが出来るようになる。
【００５４】
（本発明に係る他の実施の形態）
前述した本発明の実施の形態におけるカメラを構成する各手段、並びに電子機器のパラメータ設定方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５５】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００５６】
なお、本発明は、前述した実施の形態の機能を実現するソフトウェアのプログラム（実施の形態では図２、図３、図５に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００５７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５８】
その場合、プログラムの機能を有していれば、オブジェクトコード、インタプリタにより実行されるプログラム、ＯＳに供給するスクリプトデータ等の形態であってもよい。
【００５９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００６０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００６１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６２】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００６５】
【図１】本発明の第１の実施の形態のシステムを表すブロック図である。
【図２】本発明の第１の実施の形態の調整パラメータ取得手順を表すフローチャートである。
【図３】本発明の第２の実施の形態の調整パラメータ取得手順を表すフローチャートである。
【図４】本発明の第３の実施の形態のシステムを表すブロック図である。
【図５】本発明の第３の実施の形態の調整パラメータ取得手順を表すフローチャートである。
【符号の説明】
【００６６】
ａ  カメラ
ｂ  レンズユニット
Ｃ  通信クレードル
１  撮影レンズ
２  ＣＣＤ（撮像素子）
３  Ａ／Ｄ，ＣＤＳ，ＴＧ
４  画像処理部
５  モーター制御装置
６  ＣＰＵ
７  シリアルＮＯ記憶装置
８  外部インターフェース部
９  スイッチ
１０  ネットワークサーバ
１１  インターネット網
１２  調整パラメータ情報サーバ
１３  ビューワー兼カメラ制御端末
１４  ビューワー兼カメラ制御端末
１５  ＲＡＭ
１６  ＲＯＭ
１７  ＣＰＵ
１８  接続インターフェース部分
１９  接続インターフェース部分
【図１】
2006311346.tif 000003
【図２】
2006311346.tif 000004
【図３】
2006311346.tif 000005
【図４】
2006311346.tif 000006
【図５】
2006311346.tif 000007